(57)【要約】【課題】ハンズフリー通話を行う場合に搭乗者間で共有可能な相手からの着信か否かを容易に判断すること。【解決手段】本発明に係る通話制御装置は、複数の携帯電話と接続され、携帯電話のハンズフリー通話を行う通話制御装置である。携帯電話に着信があったときに、その携帯電話から発信元の電話番号を示す電話番号情報を取得し、取得した電話番号情報が示す発信元の電話番号が、複数の携帯電話のそれぞれの電話帳の備える電話帳情報によって共通して登録される共通電話番号でない場合、ハンズフリー通話を抑止する制御部を備えることを特徴とする。【選択図】図２
2013157916.tif 000002
【特許請求の範囲】
【請求項１】
複数の携帯電話と接続され、前記携帯電話のハンズフリー通話を行う通話制御装置であって、
前記携帯電話に着信があったときに、当該携帯電話から発信元の電話番号を示す電話番号情報を取得し、取得した電話番号情報が示す発信元の電話番号が、前記複数の携帯電話のそれぞれの電話帳の備える電話帳情報によって共通して示される共通電話番号でない場合、前記ハンズフリー通話を抑止する制御部を備える、
ことを特徴とする通話制御装置。
【請求項２】
前記通話制御装置は、さらに、前記複数の携帯電話の電話帳情報を、前記複数の携帯電話から取得する情報取得部を備える、
ことを特徴とする請求項１に記載の通話制御装置。
【請求項３】
前記通話制御装置は、さらに、前記共通電話番号を示す共通電話番号情報が格納される共通電話番号記憶部を備え、
前記情報取得部は、前記複数の携帯電話の電話帳情報を取得したときに、当該複数の電話帳情報の共通電話番号を示す共通電話番号情報を生成して前記共通電話番号記憶部に格納しておき、
前記制御部は、前記発信元の電話番号が、前記共通電話番号記憶部に格納された共通電話番号情報が示す共通電話番号でない場合、前記ハンズフリー通話を抑止する、
ことを特徴とする請求項２に記載の通話制御装置。
【請求項４】
前記通話制御装置は、さらに、少なくとも前記複数の携帯電話の電話帳情報を有し、当該複数の携帯電話の電話帳情報の共通電話番号を示す共通電話番号情報を生成する電話帳管理装置から、当該共通電話番号情報を取得する情報取得部を備え、
前記制御部は、前記発信元の電話番号が、前記情報取得部が取得した共通電話番号情報が示す共通電話番号でない場合、前記ハンズフリー通話を抑止する、
ことを特徴とする請求項１に記載の通話制御装置。
【請求項５】
複数の携帯電話と接続される通話制御装置において、前記携帯電話のハンズフリー通話を行う通話制御方法であって、
前記携帯電話に着信があったときに、当該携帯電話から当該着信における発信元の電話番号を示す電話番号情報を取得するステップと、
前記携帯電話から取得した電話番号情報が示す発信元の電話番号が、前記複数の携帯電話のそれぞれの電話帳の備える電話帳情報によって共通して示される共通電話番号でない場合、前記ハンズフリー通話を抑止するステップと、
を備えることを特徴とする通話制御方法。
【請求項６】
複数の携帯電話と接続される通話制御装置において、前記携帯電話のハンズフリー通話を行わせるための通話制御プログラムであって、
前記携帯電話に着信があったときに、当該携帯電話から当該着信における発信元の電話番号を示す電話番号情報を取得する処理と、
前記携帯電話から取得した電話番号情報が示す発信元の電話番号が、前記複数の携帯電話のそれぞれの電話帳の備える電話帳情報によって共通して示される共通電話番号でない場合、前記ハンズフリー通話を抑止する処理と、
を前記通話制御装置に実行させることを特徴とする通話制御プログラム。
【請求項７】
通話制御装置と接続され、前記通話制御装置によってハンズフリー通話が行われる複数の携帯電話のそれぞれの電話帳情報が格納された電話帳記憶部と、
前記通話制御装置からの要求に応じて、前記電話帳記憶部に格納された前記複数の携帯電話のそれぞれの電話帳情報によって共通して示される共通電話番号を示す共通電話番号情報を生成して前記通話制御装置に送信する情報生成部と、
を備えることを特徴とする電話帳管理装置。
【請求項８】
通話制御装置と接続され、前記通話制御装置によってハンズフリー通話が行われる複数の携帯電話のそれぞれの電話帳情報を管理する電話帳管理方法であって、
前記通話制御装置からの要求に応じて、電話帳記憶部に格納された前記複数の携帯電話のそれぞれの電話帳情報によって共通して示される共通電話番号を示す共通電話番号情報を生成するステップと、
前記生成した共通電話番号情報を前記通話制御装置に送信するステップと、
を備えることを特徴とする電話帳管理方法。
【請求項９】
通話制御装置と接続され、前記通話制御装置によってハンズフリー通話が行われる複数の携帯電話のそれぞれの電話帳情報を管理するための電話帳管理プログラムであって、
前記通話制御装置からの要求に応じて、電話帳記憶部に格納された前記複数の携帯電話のそれぞれの電話帳情報によって共通して示される共通電話番号を示す共通電話番号情報を生成する処理と、
前記生成した共通電話番号情報を前記通話制御装置に送信する処理と、
をコンピュータに実行させることを特徴とする電話帳管理プログラム。
【発明の詳細な説明】
【技術分野】
【０００１】
本発明は、通話制御装置、通話制御方法、通話制御プログラム、電話帳管理装置、電話帳管理方法、及び、電話帳管理プログラムに関し、特に携帯電話のハンズフリー通話を行う技術に関する。
【背景技術】
【０００２】
近年、ハンズフリー通話機能を搭載したカーナビゲーションシステムに関する技術が検討されてきている（例えば、特許文献１及び特許文献２）。ハンズフリー通話を行うことで、車両の搭乗者が携帯電話に触れることなく通話を行うことができる。
【先行技術文献】
【特許文献】
【０００３】
【特許文献１】特開２００６−３１９６２２号公報
【特許文献２】特開２００９−２３９４７０号公報
【発明の概要】
【発明が解決しようとする課題】
【０００４】
カーナビゲーションシステムによってハンズフリー通話を行う場合には、車内の搭乗者全員で通話が共有された状態となる。しかしながら、人によっては、発信者が他の搭乗者とは交友がなく、自分だけにとっての知人であった場合には、他の搭乗者とその通話の内容を共有することを望まない者もいる。また、他の搭乗者への着信が、自分の知人からではなかった場合、会話への参加等、その通話の共有を望まない者もいる。そのため、車内でハンズフリー通話を行う場合に、車内に複数の搭乗者がいるときに着信があった場合には、その通話を共有可能か否かを搭乗者間で確認する必要があった。
【０００５】
本発明は、上述したような課題を解決するために、ハンズフリー通話を行う場合に搭乗者間で共有可能な相手からの着信か否かを容易に判断できる通話制御装置、通話制御方法、通話制御プログラム、電話帳管理装置、電話帳管理方法、及び、電話帳管理プログラムを提供することを目的とする。
【課題を解決するための手段】
【０００６】
本発明の第１の態様にかかる通話制御装置は、複数の携帯電話と接続され、前記携帯電話のハンズフリー通話を行う通話制御装置であって、前記携帯電話に着信があったときに、当該携帯電話から発信元の電話番号を示す電話番号情報を取得し、取得した電話番号情報が示す発信元の電話番号が、前記複数の携帯電話のそれぞれの電話帳の備える電話帳情報によって共通して示される共通電話番号でない場合、前記ハンズフリー通話を抑止する制御部を備える、ことを特徴とする。
【０００７】
本発明の第２の態様にかかる通話制御方法は、複数の携帯電話と接続される通話制御装置において、前記携帯電話のハンズフリー通話を行う通話制御方法であって、前記携帯電話に着信があったときに、当該携帯電話から当該着信における発信元の電話番号を示す電話番号情報を取得するステップと、前記携帯電話から取得した電話番号情報が示す発信元の電話番号が、前記複数の携帯電話のそれぞれの電話帳の備える電話帳情報によって共通して示される共通電話番号でない場合、前記ハンズフリー通話を抑止するステップと、を備えることを特徴とする。
【０００８】
本発明の第３の態様にかかる通話制御プログラムは、複数の携帯電話と接続される通話制御装置において、前記携帯電話のハンズフリー通話を行わせるための通話制御プログラムであって、前記携帯電話に着信があったときに、当該携帯電話から当該着信における発信元の電話番号を示す電話番号情報を取得する処理と、前記携帯電話から取得した電話番号情報が示す発信元の電話番号が、前記複数の携帯電話のそれぞれの電話帳の備える電話帳情報によって共通して示される共通電話番号でない場合、前記ハンズフリー通話を抑止する処理と、を前記通話制御装置に実行させることを特徴とする。
【０００９】
本発明の第４の態様にかかる電話帳管理装置は、通話制御装置と接続され、前記通話制御装置によってハンズフリー通話が行われる複数の携帯電話のそれぞれの電話帳情報が格納された電話帳記憶部と、前記通話制御装置からの要求に応じて、前記電話帳記憶部に格納された前記複数の携帯電話のそれぞれの電話帳情報によって共通して示される共通電話番号を示す共通電話番号情報を生成して前記通話制御装置に送信する情報生成部と、を備えることを特徴とする。
【００１０】
本発明の第５の態様にかかる電話帳管理方法は、通話制御装置と接続され、前記通話制御装置によってハンズフリー通話が行われる複数の携帯電話のそれぞれの電話帳情報を管理する電話帳管理方法であって、前記通話制御装置からの要求に応じて、電話帳記憶部に格納された前記複数の携帯電話のそれぞれの電話帳情報によって共通して示される共通電話番号を示す共通電話番号情報を生成するステップと、前記生成した共通電話番号情報を前記通話制御装置に送信するステップと、を備えることを特徴とする。
【００１１】
本発明の第６の態様にかかる電話帳管理プログラムは、通話制御装置と接続され、前記通話制御装置によってハンズフリー通話が行われる複数の携帯電話のそれぞれの電話帳情報を管理するための電話帳管理プログラムであって、前記通話制御装置からの要求に応じて、電話帳記憶部に格納された前記複数の携帯電話のそれぞれの電話帳情報によって共通して示される共通電話番号を示す共通電話番号情報を生成する処理と、前記生成した共通電話番号情報を前記通話制御装置に送信する処理と、をコンピュータに実行させることを特徴とする。
【発明の効果】
【００１２】
上述した本発明の各態様によれば、ハンズフリー通話を行う場合に搭乗者間で共有可能な相手からの着信か否かを容易に判断できる通話制御装置、通話制御方法、通話制御プログラム、電話帳管理装置、電話帳管理方法、及び、電話帳管理プログラムを提供することができる。
【図面の簡単な説明】
【００１３】
【図１】発明の実施の形態１にかかる車載システムの構成図である。
【図２】発明の実施の形態１にかかるカーナビの構成図である。
【図３】発明の実施の形態１にかかる携帯電話の構成図である。
【図４】発明の実施の形態１にかかる共通電話番号の検出例を説明するための図である。
【図５】発明の実施の形態１にかかる車載システムの通話接続処理を示すフローチャートである。
【図６Ａ】発明の実施の形態１にかかる着信表示の例を示す図である。
【図６Ｂ】発明の実施の形態１にかかる着信表示の例を示す図である。
【図７】発明の実施の形態２にかかる車載システムの通話接続処理を示すフローチャートである。
【図８】発明の実施の形態３にかかる電話帳管理システムの構成図である。
【図９】発明の実施の形態３にかかるカーナビの構成図である。
【図１０】発明の実施の形態３にかかる携帯電話の構成図である。
【図１１】発明の実施の形態３にかかる電話帳管理サーバーの構成図である。
【図１２】発明の実施の形態３にかかる共通電話番号情報生成処理を示すフローチャートである。
【図１３】発明の実施の形態４にかかるカーナビの構成図である。
【図１４】発明の実施の形態４にかかる車載システムの通話接続処理を示すフローチャートである。
【発明を実施するための形態】
【００１４】
＜発明の実施の形態１＞
まず、図１を参照して、本発明の実施の形態１にかかる車載システム１について説明する。図１は、本発明の実施の形態１にかかる車載システム１の構成図である。
【００１５】
車載システム１は、カーナビゲーションシステム（以下、「カーナビ」と呼ぶ）１０及び携帯電話２０ａ〜２０ｄを有する。カーナビ１０と携帯電話２０ａ〜２０ｄとは、無線通信によって接続される。この接続は、任意の無線通信規格によって行う。
【００１６】
カーナビ１０は、現在地点から目的地点までの経路探索を行って、探索した経路を車両の搭乗者（以下、「ユーザー」とも呼ぶ）に対して提示する装置である。また、カーナビ１０は、無線通信によって接続された携帯電話２０ａ〜２０ｄのハンズフリー通話を実現する機能も有する。
【００１７】
携帯電話２０ａ〜２０ｄのそれぞれは、他の電話機との間で基地局を介して発着信を行う。他の電話機は、固定電話又は携帯電話等である。携帯電話２０ａ〜２０ｄのそれぞれは、カーナビ１０が搭載される車両の搭乗者のそれぞれが有する携帯電話に相当する。以下、スマートフォン等のインターネット接続可能な携帯電話を利用している場合について例示する。
【００１８】
続いて、図２を参照して、本発明の実施の形態１にかかるカーナビ１０について説明する。図２は、本発明の実施の形態１にかかるカーナビ１０の構成図である。
【００１９】
カーナビ１０は、中央制御部１００、携帯端末接続部１０２、ＤＢ生成部１０３、ユーザー毎電話帳ＤＢ１０４、共通電話番号ＤＢ１０５、スピーカー１０６、マイクフォン（以下、「マイク」と呼ぶ）１０７、表示部１０８、及び、入力部１０９を有する。また、中央制御部１００は、接続判断部１０１を有する。
【００２０】
中央制御部１００は、カーナビ１０としての各種機能を実現するための処理を行う。カーナビ１０が有するＣＰＵ（Central Processing Unit）が、カーナビ１０としての各種機能を実現するための処理を実行させるプログラムを実行することで、中央制御部１００及びＤＢ生成部１０３として機能する。具体的には、中央制御部１００は、ユーザーから入力部１０９に対して入力された目的地点までの経路探索を行う。なお、現在地点は、カーナビ１０が有するＧＰＳ（Global Positioning System）センサ（図示せず）が測位した位置の情報から特定する。中央制御部１００は、探索した経路の画像を示す画像情報を生成して表示部１０８に出力する。これによって、その画像情報が示す画像が、表示部１０８によって表示される。
【００２１】
また、中央制御部１００は、接続判断部１０１としても機能する。接続判断部１０１は、携帯電話２０ａ〜２０ｄのうちの着信があった携帯電話から、着信の通知を受ける。接続判断部１０１は、着信の通知に応じて、ユーザーに着信を通知（呼び出し）する。ユーザーから、この通知に応じて入力部１０９に対して通話の開始を指示する入力があった場合、接続判断部１０１は、スピーカー１０６及びマイク１０７を介したカーナビ１０によるハンズフリー通話を開始する。
【００２２】
ここで、接続判断部１０１は、後述するように、その着信における発信元の電話番号が、携帯電話２０ａ〜２０ｄのそれぞれの電話帳情報で共通して登録される電話番号でない場合には、カーナビ１０によるハンズフリー通話を抑止する。これによって、ハンズフリー通話を行う場合に搭乗者（携帯電話２０ａ〜２０ｄのユーザ）間で共有可能な相手からの着信か否かを容易に判断することを可能とする。
【００２３】
携帯端末接続部１０２は、携帯電話２０ａ〜２０ｄとの間で無線通信によって任意の情報を送受信する。具体的には、携帯端末接続部１０２は、携帯電話２０ａ〜２０ｄから受信した情報を中央制御部１００及びＤＢ生成部１０３に出力する。携帯端末接続部１０２は、中央制御部１００及びＤＢ生成部１０３から出力された情報を携帯電話２０ａ〜２０ｄに送信する。この無線通信には、例えば、任意の近距離無線通信規格が使用される。以下、本実施の形態では、Ｂｌｕｅｔｏｏｔｈ（登録商標）規格によって、カーナビ１０と携帯電話２０ａ〜２０ｄとをペアリングする場合について例示する。
【００２４】
ＤＢ生成部１０３は、携帯電話２０ａ〜２０ｄからのそれぞれから携帯端末接続部１０２を介して電話帳情報を受信して、受信した電話帳情報をユーザー毎電話帳ＤＢ１０４に格納する。ＤＢ生成部１０３は、ユーザー毎電話帳ＤＢ１０４に格納された、携帯電話２０ａ〜２０ｄの電話帳情報に基づいて、それぞれの電話帳情報で共通して示される電話番号（共通電話番号）を検出する。ＤＢ生成部１０３は、検出した共通電話番号を示す共通電話番号情報を生成して共通電話番号ＤＢ１０５に格納する。
【００２５】
ユーザー毎電話帳ＤＢ１０４は、ＤＢ生成部１０３によって携帯電話２０ａ〜２０ｄのそれぞれの電話帳情報が格納される。共通電話番号ＤＢ１０５は、ＤＢ生成部１０３によって共通電話番号情報が格納される。ユーザー毎電話帳ＤＢ１０４と共通電話番号ＤＢ１０５のそれぞれは、任意の記憶装置によって構成される。記憶装置は、例えば、メモリ、ハードディスク、又は、それらの組み合わせ等である。ユーザー毎電話帳ＤＢ１０４と共通電話番号ＤＢ１０５とは、別々の記憶装置によって構成されていてもよく、１つの記憶装置によって構成されていてもよい。
【００２６】
スピーカー１０６は、中央制御部１００から出力された音声情報が示す音声を出力する。マイク１０７は、ユーザーから入力された音声を示す音声情報を生成して中央制御部１００に出力する。
【００２７】
表示部１０８は、中央制御部１００から出力された画像情報が示す画像を表示する。表示部１０８は、任意の表示装置によって構成される。表示装置は、例えば、液晶ディスプレイ、プラズマディスプレイ、及び、有機ＥＬ（Electro-Luminescence）ディスプレイ等である。
【００２８】
入力部１０９は、ユーザーからの入力を受けて、入力された内容を示す入力情報を中央制御部１００に出力する。入力部１０９は、表示部１０８とともにタッチパネルを構成する。また、入力部１０９は、さらに物理的な操作ボタンを含んでいてもよく、タッチパネルを構成せずに物理的な操作ボタンのみで構成されていてもよい。
【００２９】
続いて、図３を参照して、本発明の実施の形態１にかかる携帯電話２０〜２３について説明する。図３は、本発明の実施の形態１にかかる携帯電話２０〜２３の構成図である。
【００３０】
携帯電話２０ａ〜２０ｄのそれぞれは、中央制御部２００、カーナビ接続部２０２、基地局接続部２０３、電話帳ＤＢ２０４、発着信履歴ＤＢ２０５、スピーカー２０６、マイク２０７、表示部２０８、及び、入力部２０９を有する。また、中央制御部２００は、接続制御部２０１を有する。
【００３１】
中央制御部２００は、携帯電話としての各種機能を実現するための処理を行う。携帯電話が有するＣＰＵが、携帯電話としての各種機能を実現するための処理を実行させるプログラムを実行することで、中央制御部２００として機能する。具体的には、中央制御部２００は、他の電話機との間で発信・着信・切断等の呼制御を行う。中央制御部２００は、他の電話機に対して発信する場合、又は、他の電話機から着信があった場合に、それに応じた呼制御を行う呼制御情報を他の電話機との間で基地局接続部２０３を介して送受信する。そして、中央制御部２００は、呼制御によって他の電話機との間で通話が確立した後は、その通話の会話における音声情報を、他の電話機との間で基地局接続部２０３を介して送受信する。中央制御部２００は、通話を終了する場合には、それに応じた呼制御を行う呼制御情報を他の電話機との間で基地局接続部２０３を介して送受信する。
【００３２】
また、中央制御部２００は、接続制御部２０１としても機能する。接続制御部２０１は、他の電話機から着信があったときに、カーナビ１０にカーナビ接続部２０２を介して着信を通知する。また、接続制御部２０１は、上述したように、カーナビ１０において、携帯電話２０ａ〜２０ｄのそれぞれの電話帳情報の共通電話帳情報を生成可能とするために、電話帳ＤＢ２０４に格納された電話帳情報を、カーナビ接続部２０２を介してカーナビ１０に送信する。ここで、カーナビ１０に対して電話帳情報を送信するタイミングは、カーナビ１０において共通電話番号を検出するまでであれば、どのタイミングで送信するようにしてもよい。例えば、接続制御部２０１は、カーナビ１０との間で無線通信が確立されたときに電話帳情報を送信する。
【００３３】
カーナビ接続部２０２は、カーナビ１０との間で無線通信によって任意の情報を送受信する。具体的には、カーナビ接続部２０２は、カーナビ１０から受信した情報を中央制御部２００に出力する。カーナビ接続部２０２は、中央制御部２００から出力された情報をカーナビ１０に送信する。この無線通信には、例えば、上述したように任意の近距離無線通信規格が使用される。
【００３４】
基地局接続部２０３は、他の電話機との間で携帯電話基地局を介して無線通信によって任意の情報を送受信する。具体的には、基地局接続部２０３は、他の電話機から携帯電話基地局を介して受信した情報を中央制御部２００に出力する。基地局接続部２０３は、中央制御部２００から出力された情報を、携帯電話基地局を介して他の電話機に送信する。また、この無線通信には、例えば、３Ｇ、３．５Ｇ、及び、４Ｇ等の携帯電話における通信規格のうち、任意の通信規格が使用される。
【００３５】
電話帳ＤＢ２０４は、電話帳を示す電話帳情報が格納される。電話帳の内容は、携帯電話のユーザーによって予め登録される。電話帳情報には、複数のエントリが含まれる。各エントリには、名前及び電話番号を示す情報が含まれる。また、各エントリには、その他に、エントリ番号、名前のふりがな、電子メールアドレス、及び、住所等が含まれていてもよい。中央制御部２００は、ユーザーから入力部２０９を介して入力された名前及び電話番号等を電話帳情報に登録する。中央制御部２００は、電話帳情報が示す電話帳の中からユーザーが入力部２０９を介して選択した電話番号に対して発信をすることが可能となる。
【００３６】
発着信履歴ＤＢ２０５は、発信履歴を示す発信履歴情報と、着信履歴を示す着信履歴情報とが格納される。発信履歴情報には、複数のエントリが含まれる。各エントリには、発信先の電話番号、名前、及び、発信日時等を示す情報が含まれる。着信履歴情報には、各エントリが含まれる。各エントリには、発信元の電話番号、名前、及び、着信日時等を示す情報が含まれる。
【００３７】
スピーカー２０６は、中央制御部２００から出力された音声情報が示す音声を出力する。マイク２０７は、ユーザーから入力された音声を示す音声情報を生成して中央制御部２００に出力する。
【００３８】
表示部２０８は、中央制御部２００から出力された画像情報が示す画像を表示する。表示部２０８は、任意の表示装置によって構成される。表示装置は、例えば、液晶ディスプレイ、プラズマディスプレイ、及び、有機ＥＬディスプレイ等である。
【００３９】
入力部２０９は、ユーザーからの入力を受けて、入力された内容を示す入力情報を中央制御部２００に出力する。入力部２０９は、表示部２０８とともにタッチパネルを構成する。また、入力部２０９は、さらに物理的な操作ボタンを含んでいてもよく、タッチパネルを構成せずに物理的な操作ボタンのみで構成されていてもよい。
【００４０】
続いて、図４を参照して、本発明の実施の形態にかかる共通電話番号の検出例について説明する。図４は、本発明の実施の形態にかかる共通電話番号の検出例を説明するための図である。
【００４１】
図４では、３つの電話帳情報がユーザー毎電話帳ＤＢ１０４に格納されている場合について示している。図４に示すように、１つ目の電話帳情報は、名前「Ａ」及び電話番号「０９０−△２３４−５○７８」を示すエントリと、名前「Ｂ」及び電話番号「０９０−１□２１−５６６△」を示すエントリと、名前「Ｃ」及び電話番号「０９０−４６○７−８９□１」を示すエントリと、名前「Ｄ」及び電話番号「０９０−２２２△−○３３３」を示すエントリとを含む。２つ目の電話帳情報は、名前「Ａ」及び電話番号「０９０−△２３４−５○７８」を示すエントリと、名前「Ｂ」及び電話番号「０９０−１□２１−５６６△」を示すエントリと、名前「Ｃ」及び電話番号「０９０−４６○７−８９□１」を示すエントリと、名前「Ｅ」及び電話番号「０９０−３３３△−○２１２」を示すエントリとを含む。３つ目の電話帳情報は、名前「Ａ」及び電話番号「０９０−△２３４−５○７８」を示すエントリと、名前「Ｃ」及び電話番号「０９０−４６○７−８９□１」を示すエントリと、名前「Ｄ」及び電話番号「０９０−２２２△−○３３３」を示すエントリと、名前「Ｆ」及び電話番号「０９０−１□３４−１１１△」を示すエントリとを含む。
【００４２】
この場合には、全ての電話帳情報に「Ａ」の電話番号「０９０−△２３４−５○７８」と、「Ｃ」の電話番号「０９０−４６○７−８９□１」とが共通して示されることになる。したがって、ＤＢ生成部１０３は、共通電話番号として、「０９０−△２３４−５○７８」と「０９０−４６○７−８９□１」とを検出する。そして、ＤＢ生成部１０３は、それらの電話番号を示す共通電話番号情報を生成して共通電話番号ＤＢ１０５に格納する。
【００４３】
ここで、ＤＢ生成部１０３は、接続判断部１０１によって、発信元の電話番号が共通電話番号であるか否かが判定されるタイミングまでであれば、どのタイミングで共通電話番号情報を生成するようにしてもよい。ＤＢ生成部１０３は、例えば、携帯電話から送信された電話帳情報をユーザー毎電話帳ＤＢ１０４に格納したときに共通電話番号情報を生成するようにしてもよく、携帯電話から着信が通知されたときに共通電話番号情報を生成するようにしてもよい。
【００４４】
続いて、図５を参照して、本発明の実施の形態１にかかる車載システム１の通話接続処理について説明する。図５は、本発明の実施の形態１にかかる車載システム１の通話接続処理を示すフローチャートである。ここでの処理の説明において、「携帯電話２０」と言った場合には、携帯電話２０ａ〜２０ｄのうち、着信があった携帯電話を意味する。
【００４５】
携帯電話２０の接続制御部２０１は、他の電話機から着信があった場合、着信を通知する着信情報を生成してカーナビ接続部２０２に出力する。また、この着信情報は、発信元の電話番号を示す。なお、発信元の電話番号は、発信元の電話機から送信された呼制御情報から取得すればよい。カーナビ接続部２０２は、接続制御部２０１から出力された着信情報をカーナビ１０に送信する。カーナビ１０の携帯端末接続部１０２は、携帯電話２０から送信された着信情報を受信する（Ｓ１）。携帯端末接続部１０２は、受信した着信情報を接続判断部１０１に出力する。すなわち、接続判断部１０１に発信元の電話番号が出力される（Ｓ２）。
【００４６】
接続判断部１０１は、携帯端末接続部１０２からの着信情報の出力に応じて、呼び出しを行う。具体的には、接続判断部１０１は、表示部１０８に着信表示を行うとともに、スピーカー１０６から呼び出し音を出力する。着信表示として、例えば、図６Ａに示すように、携帯電話２０のユーザーの名前、発信元の電話機のユーザーの名前及び電話番号、並びに、通話ボタン等を表示する。
【００４７】
ここで、携帯電話２０のユーザーの名前は、例えば、接続判断部１０１が、携帯電話２０ａ〜２０ｄのそれぞれから、どのように取得するようにしてもよい。例えば、着信情報においてユーザーの名前も示すようにすることで、接続判断部１０１が着信情報から取得するようにしてもよい。発信元の電話機のユーザーの名前は、例えば、ユーザー毎電話帳ＤＢ１０４に格納された電話帳情報における、着信情報が示す電話番号のエントリから取得する。また、例えば、携帯電話２０ａ〜２０ｄのそれぞれの電話帳情報を、携帯電話２０ａ〜２０ｄのそれぞれのユーザーの名前と対応付けてユーザー毎電話帳ＤＢ１０４に格納しておくことで、携帯電話２０のユーザーの名前から着信にかかる携帯電話２０の電話帳情報を特定して利用するようにしてもよい。発信元の電話機の電話番号は、着信情報から取得することができる。なお、携帯電話２０のユーザーを特定する情報であれば、ユーザーの名前に代えて、その他の情報（例えば、ユーザーＩＤ等）を使用するようにしてもよい。
【００４８】
ここで、さらに、携帯電話２０においても、呼び出しを行うようにしてもよい。具体的には、接続制御部２０１は、表示部２０８に任意の着信表示を行うとともに、スピーカー２０６から呼び出し音を出力する。
【００４９】
そして、ユーザーによってタッチパネルに表示された通話ボタンが押下された場合、入力部１０９は、通話ボタンが押下されたことを示す入力情報を接続判断部１０１に出力する。なお、通話ボタンとして、物理的な操作ボタンを利用するようにしてもよい。
【００５０】
接続判断部１０１は、入力部１０９からの入力情報の出力に応じて、携帯端末接続部１０２から出力された着信情報が示す発信元の電話番号を、共通電話番号ＤＢ１０５に格納された共通電話番号情報が示す共通電話番号から検索する（Ｓ３）。すなわち、接続判断部１０１は、発信元の電話番号が共通電話番号情報が示す共通電話番号に存在するか否かを判定する。なお、この判定は、着信情報を受信したタイミング等で事前に行っておくようにしてもよい。
【００５１】
発信元の電話番号が共通電話番号情報が示す共通電話番号に存在すると判定した場合（Ｓ４：Ｙｅｓ）、接続判断部１０１は、カーナビ１０によるハンズフリー接続を行う旨を通知する接続状況通知情報を携帯端末接続部１０２に出力する（Ｓ５）。
【００５２】
発信元の電話番号が共通電話番号情報が示す共通電話番号に存在しないと判定した場合（Ｓ４：Ｎｏ）、接続判断部１０１は、通常接続を行う（カーナビ１０によるハンズフリー接続を行わない）旨を通知する接続状況通知情報を携帯端末接続部１０２に出力する（Ｓ６）。
【００５３】
携帯端末接続部１０２は、接続判断部１０１から出力された接続状況通知情報を携帯電話２０に送信する。すなわち、携帯端末接続部１０２は、接続状況を携帯電話に通知する（Ｓ７）。携帯電話２０のカーナビ接続部２０２は、カーナビ１０から送信された接続状況通知情報を接続制御部２０１に出力する。
【００５４】
接続制御部２０１は、カーナビ接続部２０２から出力された接続状況通知情報が示す内容に応じた通話を開始する（Ｓ８）。接続状況通知情報がカーナビ１０によるハンズフリー接続を示している場合、カーナビ１０のスピーカー１０６及びマイク１０７を利用した通話を開始する。すなわち、中央制御部２００は、着信に応答する呼制御情報を、基地局接続部２０３を介して発信元の電話機に送信して、発信元の電話機との間で回線を確立する。そして、中央制御部２００は、カーナビ１０と発信元の電話機との間で通話における音声情報の転送を開始する。
【００５５】
具体的には、中央制御部２００は、発信元の電話機から基地局接続部２０３を介して受信した音声情報を、カーナビ接続部２０２を介してカーナビ１０に送信する。カーナビ１０の中央制御部１００は、携帯電話２０から携帯端末接続部１０２を介して受信した音声情報をスピーカー１０６に出力する。スピーカー１０６は、中央制御部１００から出力された音声情報が示す音声を出力する。これによって、車両の搭乗者が発信元の電話機のユーザーの声を聞くことができる。また、マイク１０７は、車両に搭乗者の声を示す音声情報を生成して中央制御部１００に出力する。中央制御部１００は、マイク１０７から出力された音声情報を、携帯端末接続部１０２を介して携帯電話２０に送信する。携帯電話２０の中央制御部２００は、カーナビ１０からカーナビ接続部２０２を介して受信した音声情報を、基地局接続部２０３を介して発信元の電話機に送信する。これによって、発信元の電話機がその音声情報に基づいて車両の搭乗者の声を出力することで、発信元の電話機のユーザーが車両の搭乗者の音声を聞くことができる。これによれば、車両の搭乗者全員が、発信元のユーザーと通話における会話を共有することが可能となる。
【００５６】
他方、接続状況通知情報が通常接続を示している場合、カーナビ１０のスピーカー１０６及びマイク１０７は利用しない、携帯電話２０による通話を開始する。すなわち、中央制御部２００は、着信に応答する呼制御情報を、基地局接続部２０３を介して発信元の電話機に送信して、発信元の電話機との間で回線を確立する。そして、中央制御部２００は、発信元の電話機との間で通話における音声情報を送受信する。
【００５７】
具体的には、中央制御部２００は、携帯電話２０から携帯端末接続部１０２を介して受信した音声情報をスピーカー２０６に出力する。スピーカー２０６は、中央制御部２００から出力された音声情報が示す音声を出力する。これによって、携帯電話２０のユーザーが発信元の電話機のユーザーの声を聞くことができる。また、マイク２０７は、携帯電話２０のユーザーの声を示す音声情報を生成して中央制御部２００に出力する。中央制御部２００は、マイク２０７から出力された音声情報を、基地局接続部２０３を介して発信元の電話機に送信する。これによれば、着信した携帯電話２０のユーザーのみが、発信元のユーザーと通話を行うことが可能となる。さらに、このときに、携帯電話２０は、ヘッドセット（図示せず）と接続されている場合には、ヘッドセットとの間で、通話における音声情報を転送するようにしてもよい。これによれば、携帯電話２０のユーザーが車両の運転手であっても、ヘッドセットを装着することによって、ハンズフリーで発信元のユーザーと通話を行うことが可能となる。
【００５８】
ここで、上述の説明では、発信元の電話番号が共通電話番号情報が示す共通電話番号に存在する場合も、存在しない場合も、同様の呼び出しを行う場合について例示したが、それぞれの場合で異なる呼び出しを行うようにしてもよい。例えば、発信元の電話番号が共通電話番号情報が示す共通電話番号に存在しない場合には、カーナビ１０の接続判断部１０１は、図６Ｂに示すように、通話ボタンは表示せずに、着信の通知のみを行うようにしてもよい。
【００５９】
そして、携帯電話２０において通話ボタンが押下されたときに、携帯電話２０の接続制御部２０１が、それによる入力部２０９からの入力情報の出力に応じて、携帯電話２０による通話を開始するようにしてもよい。車両の搭乗者全員で通話が共車両の運転手以外の搭乗者にように、携帯電話２０を保持して単独で通話をすることができる搭乗者に対しては、携帯電話２０による通話を許容してもよいからである。また、これによれば、カーナビ１０の表示部１０８によって着信を通知しているため、携帯電話２０のユーザーが、より着信に気付きやすくすることができる。
【００６０】
さらに、この場合には、発信元の電話機のユーザーの名前及び電話番号も表示しないようにしてもよい。すなわち、いずれの携帯電話が着信しているかのみを表示するようにしてもよい。また、カーナビ１０における着信表示を行わないようにして、携帯電話のみで呼び出しを行うようにしてもよい。
【００６１】
携帯電話２０のユーザーは、車両の搭乗者全員に共通しない知人から着信があったときに、誰からの着信であったのかを他の搭乗者に知られたくない場合もある。これによれば、誰からの着信であったのかを、他の搭乗者に知られないようにすることができる。
【００６２】
以上に説明したように、本実施の形態１では、カーナビ１０において、携帯電話２０に着信があったときに、携帯電話２０から発信元の電話番号を示す電話番号情報を取得し、取得した電話番号情報が示す発信元の電話番号が、複数の携帯電話２０ａ〜２０ｄのそれぞれの電話帳の備える電話帳情報によって共通して登録される共通電話番号でない場合、ハンズフリー通話を抑止するようにしている。
【００６３】
これによれば、携帯電話２０のユーザーが確認をとる手間なく、携帯電話２０ａ〜２０ｄのそれぞれのユーザーの共通の知人からの着信でない場合には、ハンズフリー通話によって通話を共有しないようにすることができる。言い換えると、携帯電話２０のユーザーが確認をとる手間なく、携帯電話２０ａ〜２０ｄのそれぞれのユーザーの共通の知人からの着信である場合には、ハンズフリー通話によって通話を共有するようにすることができる。すなわち、ハンズフリー通話を行う場合に搭乗者間で共有可能な相手からの着信か否かを容易に判断できる。
【００６４】
＜発明の実施の形態２＞
続いて、本発明の実施の形態２について説明する。本実施の形態２として、実施の形態１において、発信元の電話番号が共通電話番号情報が示す共通電話番号に存在する場合における通話接続処理について、より詳細に説明する。そのため、車両システム１、カーナビ１０、及び、携帯電話２０ａ〜２０ｄの構成については、図１〜３を参照して説明した実施の形態１における構成と同様であるため、説明を省略する。
【００６５】
以下、図７を参照して、本発明の実施の形態２にかかる車両システム１の通話接続処理について説明する。図７は、本発明の実施の形態２にかかる車両システム１の通話接続処理を示すフローチャートである。なお、実施の形態１と同様の処理については、同一の符号を付し、説明を省略する。
【００６６】
まず、発信元の電話番号が共通電話番号情報が示す共通電話番号に存在する場合において、呼び出しが行われているものとする（Ｓ９）。このときに、カーナビ１０のタッチパネルにおける通話ボタンが押下された場合（Ｓ１０、Ｓ１１：Ｙｅｓ）、カーナビ１０における通話が開始される（Ｓ５、Ｓ７、Ｓ８）。これについては、実施の形態１と同様であるため、説明を省略する。
【００６７】
他方、携帯電話２０の通話ボタンが押下された場合（Ｓ１０、Ｓ１１：Ｎｏ）、通常接続を行う（Ｓ１２）。すなわち、接続制御部２０１は、通話ボタンが押下されたことを示す入力情報が入力部２０９から出力された場合、カーナビ１０のスピーカー１０６及びマイク１０７は利用しない、携帯電話２０による通話を開始する（Ｓ８）。携帯電話２０による通話については、実施の形態１で説明済みであるため、説明を省略する。
【００６８】
また、この場合、携帯電話２０の接続制御部２０１は、通常接続を行う旨を通知する接続状況通知情報を、カーナビ接続部２０２を介してカーナビ１０に送信する。カーナビ１０の接続判断部１０１は、携帯端末接続部１０２を介して接続状況通知情報を受信した場合、呼び出しを終了する。すなわち、接続判断部１０１は、表示部１０８に対する通話ボタン等の表示を終了して、車両の搭乗者によるハンズフリー通話が指示されないようにする。
【００６９】
以上に説明したように、本実施の形態２では、携帯電話２０への着信による呼び出しに応じて、携帯電話２０に対してユーザーから通話の開始が指示された場合、ハンズフリー通話を抑止して、携帯電話２０による通常の通話を行うようにしている。
【００７０】
これによれば、車両の運転手以外の搭乗者にように、携帯電話２０を保持して単独で通話をすることができる搭乗者が、車両の搭乗者全員で通話を共有したくない場合に、即座に単独での通話を実施することが可能となる。
【００７１】
＜発明の実施の形態３＞
続いて、本発明の実施の形態３について説明する。図８を参照して、本発明の実施の形態３にかかる電話帳管理システム９について説明する。図８は、本発明の実施の形態３にかかる電話帳管理システム９の構成図である。
【００７２】
電話帳管理システム９は、車載システム１、電話帳管理サーバー３０、無線アンテナ９１、携帯電話基地局９２、及び、インターネット９３を有する。車載システム１の構成については、図１を参照して説明した実施の形態１おける構成と同様であるため、説明を省略する。
【００７３】
電話帳管理サーバー３０は、車載システム１に含まれる携帯電話２０ａ〜２０ｄの電話帳を管理する装置である。すなわち、本実施の形態３では、実施の形態１において車載システム１の携帯電話２０ａ〜２０ｄが有していた電話帳情報が、電話帳管理サーバー３０において管理される。
【００７４】
無線アンテナ９１は、車載システム１に含まれるカーナビ１０及び携帯電話２０ａ〜２０ｄから無線通信によって送信された情報を受信して、携帯電話基地局９２に送信する。また、無線アンテナ９１は、携帯電話基地局９２から送信された情報、無線通信によってカーナビ１０及び携帯電話２０ａ〜２０ｄに送信する。
【００７５】
携帯電話基地局９２は、車載システム１に含まれるカーナビ１０及び携帯電話２０ａ〜２０ｄから送信された情報を無線アンテナ９１を介して受信する。携帯電話基地局９２は、受信した情報をインターネット９３を介して電話帳管理サーバー３０に送信する。また、携帯電話基地局９２は、電話帳管理サーバー３０からインターネット９３を介して送信された情報を受信する。携帯電話基地局９２は、受信した情報を無線アンテナ９１を介してカーナビ１０及び携帯電話２０ａ〜２０ｄに送信する。すなわち、携帯電話基地局９２とインターネット９３との間では、携帯電話網とインターネット９３と接続するゲートウェイ（図示せず）を経由して情報が送受信されることになる。
【００７６】
このようにして、車載システム１と電話帳管理サーバー３０との間で、無線アンテナ９１、携帯電話基地局９２、及び、インターネット９３を介して任意の情報が送受信される。
【００７７】
続いて、図９を参照して、本発明の実施の形態３にかかるカーナビ１０について説明する。図９は、本発明の実施の形態３にかかるカーナビ１０の構成図である。なお、実施の形態１と同様の構成要素については、同一の符号を付し、説明を省略する。
【００７８】
カーナビ１０は、実施の形態１にかかるカーナビ１０と比較して、さらに、基地局接続部１１０、ＤＢ取得部１１１、及び、ユーザー毎識別情報ＤＢ１１２を有する。
【００７９】
基地局接続部１１０は、電話帳管理サーバー３０との間で、携帯電話基地局９２を介して無線通信によって任意の情報を送受信する。具体的には、基地局接続部１１０は、電話帳管理サーバー３０から携帯電話基地局９２を介して受信した情報をＤＢ取得部１１１に出力する。基地局接続部１１０は、ＤＢ取得部１１１から出力された情報を、携帯電話基地局９２を介して電話帳管理サーバー３０に送信する。この無線通信には、例えば、３Ｇ、３．５Ｇ、及び、４Ｇ等の携帯電話における通信規格のうち、任意の通信規格が使用される。
【００８０】
ＤＢ取得部１１１は、携帯電話２０ａ〜２０ｄのそれぞれの識別情報を、携帯電話２０ａ〜２０ｄのそれぞれから携帯端末接続部１０２を介して受信する。ＤＢ取得部１１１は、受信した識別情報をユーザー毎識別情報ＤＢ１１２に格納する。ＤＢ取得部１１１は、ユーザー毎識別情報ＤＢ１１２に格納された、携帯電話２０ａ〜２０ｄの識別情報を、基地局接続部１１０を介して電話帳管理サーバー３０に送信する。これによって、電話帳管理サーバー３０において、携帯電話２０ａ〜２０ｄの識別情報によって識別される携帯電話２０ａ〜２０ｄの電話帳情報の共通電話番号を示す共通電話番号情報が生成される。ＤＢ取得部１１１は、電話帳管理サーバー３０から基地局接続部１１０を介して共通電話番号情報を受信する。ＤＢ取得部１１１は、受信した共通電話番号情報を共通電話番号ＤＢ１０５に格納する。本実施の形態２では、カーナビ１０が有するＣＰＵが、カーナビ１０としての各種機能を実現するための処理を実行させるプログラムを実行することで、中央制御部１００及びＤＢ取得部１１１として機能する。
【００８１】
ユーザー毎識別情報ＤＢ１１２は、ＤＢ取得部１１１によって携帯電話２０ａ〜２０ｄのそれぞれの識別情報が格納される。ユーザー毎識別情報ＤＢ１１２は、上述したように、任意の記憶装置によって構成されるようにしてよい。
【００８２】
続いて、図１０を参照して、本発明の実施の形態３にかかる携帯電話２０ａ〜２０ｄについて説明する。図１０は、本発明の実施の形態３にかかる携帯電話２０ａ〜２０ｄの構成図である。なお、実施の形態１と同様の構成要素については、同一の符号を付し、説明を省略する。
【００８３】
携帯電話２０ａ〜２０ｄのそれぞれは、実施の形態１にかかる携帯電話２０ａ〜２０ｄと比較して、さらに、情報制御部２１０及び識別情報ＤＢ２１１を有する。
【００８４】
情報制御部２１０は、電話帳管理サーバー３０で管理されている自携帯電話の電話帳情報の表示及び更新を行う。具体的には、情報制御部２１０は、自携帯電話の電話帳情報を、電話帳管理サーバー３０から基地局接続部２０３を介して受信する。情報制御部２１０は、受信した電話帳情報に基づいて、電話帳の画像を示す画像情報を生成して表示部２０８に出力する。表示部２０８は、情報制御部２１０から出力された画像情報が示す電話帳の画像を表示する。また、入力部２０９は、ユーザーから電話帳情報を更新する入力を受けた場合、その更新内容を示す入力情報を情報制御部２１０に出力する。情報制御部２１０は、入力部２０９から出力された入力情報が示す更新内容で、電話帳情報の更新を指示する更新指示情報を生成する。情報制御部２１０は、生成した更新指示情報を、基地局接続部２０３を介して電話帳管理サーバー３０に送信する。これによって、電話帳管理サーバー３０において管理される電話帳情報が更新される。
【００８５】
また、情報制御部２１０は、識別情報ＤＢ２１１に格納された識別情報を、カーナビ接続部２０２を介してカーナビ１０に送信する。カーナビ１０は、このようにして携帯電話２０ａ〜２０ｄのそれぞれから送信された識別情報に基づいて、上述したように、携帯電話２０ａ〜２０ｄのそれぞれの電話帳情報の共通電話番号を電話帳管理サーバー３０から取得することが可能となる。本実施の形態では、携帯電話が有するＣＰＵが、携帯電話としての各種機能を実現するための処理を実行させるプログラムを実行することで、中央制御部２００及び情報制御部２１０として機能する。
【００８６】
識別情報ＤＢ２１１は、自携帯電話を識別する識別情報が格納される。識別情報は、携帯電話を識別する情報であれば、どのような情報であってもよい。識別情報として、例えば、携帯電話のユーザーの名前、電話番号、又は、一意なＩＤ等を示す情報を使用してよい。識別情報ＤＢ２１１は、上述したように、任意の記憶装置によって構成されるようにしてよい。
【００８７】
続いて、図１１を参照して、本発明の実施の形態３にかかる電話帳管理サーバー３０について説明する。図１１は、本発明の実施の形態３にかかる電話帳管理サーバー３０の構成図である。
【００８８】
電話帳管理サーバー３０は、ＤＢ生成部３０１、ネットワーク接続部３０２、及び、ユーザー毎電話帳ＤＢ３０３を有する。
【００８９】
ＤＢ生成部３０１は、携帯電話２０ａ〜２０ｄのそれぞれからネットワーク接続部３０２を介して更新指示情報を受信して、受信した更新指示情報で指示される内容で、ユーザー毎電話帳ＤＢ３０３に格納された電話帳情報を更新する。また、ＤＢ生成部３０１は、ユーザー毎電話帳ＤＢ３０３に格納された、携帯電話２０ａ〜２０ｄの電話帳情報の共通電話番号を検出する。ＤＢ生成部３０１は、検出した共通電話番号を示す共通電話番号情報を生成して、ネットワーク接続部３０２を介してカーナビ１０に送信する。電話帳管理サーバー３０が有するＣＰＵが、携帯電話としての各種機能を実現するための処理を実行させるプログラムを実行することで、ＤＢ生成部３０１として機能する。
【００９０】
ネットワーク接続部３０２は、カーナビ１０及び携帯電話２０ａ〜２０ｄとの間で、ネットワーク９３を介した通信によって任意の情報を送受信する。具体的には、ネットワーク接続部３０２は、カーナビ１０及び携帯電話２０ａ〜２０ｄからネットワーク９３を介して受信した情報をＤＢ生成部３０１に出力する。ネットワーク接続部３０２は、ＤＢ生成部３０１から出力された情報を、ネットワーク９３を介してカーナビ１０及び携帯電話２０ａ〜２０ｄに送信する。この通信には、インターネットプロトコルが使用される。
【００９１】
ユーザー毎電話帳ＤＢ３０３は、ＤＢ生成部３０１によって携帯電話２０ａ〜２０ｄのそれぞれの電話帳情報が格納される。ユーザー毎電話帳識別情報ＤＢ３０３は、上述したように、任意の記憶装置によって構成されるようにしてよい。
【００９２】
続いて、図１２を参照して、本発明の実施の形態３にかかる共通電話番号情報生成処理について説明する。図１２は、本発明の実施の形態３にかかる共通電話番号情報生成処理を示すフローチャートである。なお、通話接続処理については、実施の形態１と同様であるため、説明を省略する。
【００９３】
携帯電話２０ａ〜２０ｄのそれぞれの情報制御部２１０は、カーナビ１０と無線通信によって接続されたときに、識別情報ＤＢ２１１に格納された識別情報をカーナビ接続部２０２に出力する。カーナビ接続部２０２は、情報制御部２１０から出力された識別情報をカーナビ１０に送信する（Ｓ２１）。
【００９４】
カーナビ１０の携帯端末接続部１０２は、携帯電話２０ａ〜２０ｄのそれぞれから送信された識別情報を受信する（Ｓ２２）。携帯端末接続部１０２は、識別情報をＤＢ取得部１１１に出力する。ＤＢ取得部１１１は、携帯端末接続部１０２から出力された識別情報をユーザー毎識別情報ＤＢ１１２に格納する（Ｓ２３）。
【００９５】
ＤＢ取得部１１１は、ユーザー毎識別情報ＤＢ１１２に格納された、携帯電話２０ａ〜２０ｄの識別情報を基地局接続部１１０に出力する。基地局接続部１１０は、ＤＢ取得部１１１から出力された携帯電話２０ａ〜２０ｄの識別情報を、携帯電話基地局９２を介して電話帳管理サーバー３０に送信する（Ｓ２４）。識別情報は、例えば、携帯電話２０ａ〜２０ｄの識別情報を含む共通電話番号要求情報として送信される。
【００９６】
電話帳管理サーバー３０のネットワーク接続部３０２は、カーナビ１０から送信された携帯電話２０ａ〜２０ｄの識別情報を受信する（Ｓ２５）。ネットワーク接続部３０２は、受信した携帯電話２０ａ〜２０ｄの識別情報をＤＢ生成部３０１に出力する。ＤＢ生成部３０１は、ユーザー毎電話帳ＤＢ３０３に格納された、携帯電話２０ａ〜２０ｄの電話帳情報に基づいて、共通電話帳情報を生成する（Ｓ２６）。ＤＢ生成部３０１による共通電話帳情報の生成方法については、実施の形態１にかかる共通電話帳情報の生成方法と同様であるため、説明を省略する。
【００９７】
ここで、ユーザー毎電話帳ＤＢ３０３には、携帯電話２０ａ〜２０ｄのそれぞれの電話帳情報を、携帯電話２０ａ〜２０ｄのそれぞれの識別情報と対応付けて格納しておくようにする。そのようにすることで、ＤＢ生成部３０１が、ユーザー毎電話帳ＤＢ３０３に携帯電話２０ａ〜２０ｄ以外の電話帳情報が格納されている場合であっても、カーナビ１０から送信された識別情報に基づいて、携帯電話２０ａ〜２０ｄの電話帳情報を特定可能とする。すわなち、電話帳管理サーバー３０が管理対象とする携帯電話は、携帯電話２０ａ〜２０ｄのみに限られない。
【００９８】
ＤＢ生成部３０１は、生成した共通電話帳情報をネットワーク接続部３０２に出力する。ネットワーク接続部３０２は、ＤＢ生成部３０１から出力された共通電話帳情報を、ネットワーク９３を介してカーナビ１０に送信する（Ｓ２７）。
【００９９】
カーナビ１０の基地局接続部１１０は、電話帳管理サーバー３０から送信された共通電話帳情報を受信する（Ｓ２８）。基地局接続部１１０は、受信した共通電話帳情報をＤＢ取得部１１１に出力する。ＤＢ取得部１１１は、基地局接続部１１０から出力された共通電話帳情報を共通電話番号ＤＢ１０５に格納する（Ｓ２９）。
【０１００】
本実施の形態３では、このようにして、共通電話番号ＤＢ１０５に格納された共通電話帳情報が、通話接続処理において、ハンズフリー接続とするか、通常接続とするかの判定に使用される。なお、本実施の形態３にかかる通話接続処理は、図５を参照して説明した実施の形態１にかかる通話接続処理と同様であるため、説明を省略する。
【０１０１】
ここで、上述の説明では、カーナビ１０が識別情報を携帯電話２０ａ〜２０ｄから取得するようにしているが、カーナビ１０が携帯電話２０ａ〜２０ｄの識別情報を取得する方法は、これに限られない。例えば、ユーザーから入力部１０９を介して携帯電話２０ａ〜２０ｄのそれぞれの識別情報の入力を受けるようにしてもよい。そして、ＤＢ取得部１１１は、入力部１０９から出力された入力情報で示される識別情報を、ユーザー毎識別情報ＤＢ１１２に格納するようにする。
【０１０２】
また、このときに、ユーザーから入力部１０９を介して識別情報とともに、パスワードも入力させるようにしてもよい。そして、ＤＢ取得部１１１は、入力部１０９から出力された入力情報で示されるパスワードが正しい場合に、正規の携帯電話のユーザーからの入力であると判定して、入力された識別情報をユーザー毎識別情報ＤＢ１１２に格納するようにしてもよい。なお、パスワードが正しいか否かは、例えば、カーナビ１０が有する任意の記憶装置に、識別情報と、正しいパスワードとを対応付けた情報を格納しておき、ユーザーから入力された識別情報及びパスワードの組が、その情報で対応付けられた組と一致するか否かによって判定するようにする。
【０１０３】
以上に説明したように、本実施の形態３では、携帯電話２０ａ〜２０ｄのそれぞれの電話帳情報を電話帳管理サーバー３０で管理するようにしている。そして、携帯電話２０ａ〜２０ｄの電話帳情報の共通電話番号を示す共通電話番号情報を電話帳管理サーバー３０から取得するようにしている。
【０１０４】
これによれば、車両の搭乗者が携帯電話を車外に忘れてしまっている場合であっても、携帯電話２０ａ〜２０ｄのそれぞれのユーザーの共通の知人からの着信でない場合には、ハンズフリー通話によって通話を共有しないようにすることができ、携帯電話２０ａ〜２０ｄのそれぞれのユーザーの共通の知人からの着信である場合には、ハンズフリー通話によって通話を共有するようにすることができる。すなわち、車両の搭乗者が携帯電話を車外に忘れてしまっている場合であっても、ハンズフリー通話を行う場合に搭乗者間で共有可能な相手からの着信か否かを容易に判断できる。
【０１０５】
＜発明の実施の形態４＞
続いて、本発明の実施の形態４について説明する。なお、車両システム１及び携帯電話２０ａ〜２０ｄの構成については、図１及び図３を参照して説明した実施の形態１における構成と同様であるため、説明を省略する。図１３を参照して、本発明の実施の形態４にかかるカーナビ１０について説明する。図１３は、本発明の実施の形態４にかかるカーナビ１０の構成図である。なお、実施の形態１と同様の構成要素については、同一の符号を付し、説明を省略する。
【０１０６】
中央制御部１００は、実施の形態１にかかるカーナビ１０と比較して、さらに、通話問合せ部１１３を有する。すなわち、本実施の形態４では、中央制御部１００は、さらに、通話問合せ部１１３としても機能する。
【０１０７】
通話問合せ部１１３は、発信元の電話機のユーザーに対して、カーナビ１０におけるハンズフリー通話を行ってよいか否かを問い合わせる。具体的には、通話問合せ部１１３は、ハンズフリー通話を行ってもよいか否かを問い合わせる音声を示す問合せ音声情報を、携帯端末接続部１０２を介して発信元の電話機に送信する。通話問合せ部１１３は、問い合わせに応じて、発信元の電話機から送信された、問い合わせに対する回答内容を示す回答情報を、携帯端末接続部１０２を介して受信する。そして、通話問合せ部１１３は、回答情報が示すハンズフリー通話を拒否する旨を示している場合、接続を切断して、ハンズフリー通話を抑止する。
【０１０８】
続いて、図１４を参照して、本発明の実施の形態４にかかる通話接続処理について説明する。図１４は、本発明の実施の形態４にかかる車載システム１の通話接続処理を示すフローチャートである。なお、実施の形態１と同様の処理については、同一の符号を付し、説明を省略する。
【０１０９】
接続判断部１０１は、カーナビ１０からハンズフリー接続を示す接続状況通知情報が通知された場合（Ｓ５、Ｓ７）、発信元の電話機との間で回線を接続して、カーナビ１０と発信元の電話機との間で通話における音声情報の転送を開始する。しかしながら、カーナビ１０の接続判断部１０１は、スピーカー１０６及びマイク１０７を利用したハンズフリー通話は、まだ開始しない。すなわち、スピーカー１０６から出力された音声情報を携帯電話２０に送信せず、携帯電話２０から送信された音声情報をマイク１０７に出力しない。
【０１１０】
通話問合せ部１１３は、問合せ音声情報を、携帯端末接続部１０２を介して携帯電話２０に送信する。ここで、具体的には、問合せ音声情報が示す音声は、音声ガイダンスである。例えば、ハンズフリー通話を許可する場合には電話機の操作ボタンの「１」を、ハンズフリー通話を拒否する場合には電話機の操作ボタンの「２」を押すように案内する音声となる。なお、ここで説明した操作ボタンは、一例であって、他の操作ボタンを押下させるように案内する音声であってもよい。携帯電話２０の中央制御部２００は、カーナビ１０から送信された問合せ音声情報を、カーナビ接続部２０２を介して受信する。中央制御部２００は、受信した問合せ音声情報を、基地局接続部２０３を介して発信元の電話機に送信する（Ｓ１３）。
【０１１１】
発信元の電話機は、携帯電話基地局９２を介して問合せ音声情報を受信したとき、受信した問合せ音声情報が示す音声ガイダンスを出力する。この音声ガイダンスに応じて、発信元の電話機のユーザーが操作ボタンを押下した場合、発信元の電話機は、押下された操作ボタンに応じたトーン信号を回答情報として、携帯電話基地局９２を介して携帯電話２０に送信する。
【０１１２】
携帯電話２０の中央制御部２００は、発信元の電話機から送信された回答情報を、基地局接続部２０３を介して受信する（Ｓ１４）。中央制御部２００は、受信した回答情報を、カーナビ接続部２０２を介してカーナビ１０に送信する。カーナビ１０の通話問合せ部１１３は、携帯電話２０から送信された回答情報を、携帯端末接続部１０２を介して受信する。通話問合せ部１１３は、受信した回答情報が、通話を許可する旨を示しているか、通話を拒否する旨を示しているかを判定する（Ｓ１５）。例えば、上述した音声ガイダンスの例に従っていれば、通話を許可する場合には回答情報は操作ボタン「１」のトーン信号となり、通話を拒否する場合には回答情報は操作ボタン「２」のトーン信号となる。
【０１１３】
通話問合せ部１１３は、回答情報が通話を許可する旨を示している場合（Ｓ１５：Ｙｅｓ）、通話の許可を接続判断部１０１に通知する。接続判断部１０１は、この通知に応じて、ハンズフリー通話を開始する（Ｓ８）。すなわち、中央制御部１００は、スピーカー１０６から出力された音声情報の携帯電話２０への送信と、携帯電話２０から送信された音声情報のマイク１０７への出力を開始する。
【０１１４】
通話問合せ部１１３は、回答情報が通話を拒否する旨を示している場合（Ｓ１５：Ｎｏ）、通話の拒否を接続判断部１０１に通知する。接続判断部１０１は、この通知に応じて、発信元の電話機との接続を切断する（Ｓ１６）。具体的には、接続判断部１０１は、切断を指示する指示情報を、携帯端末接続部１０２を介して携帯電話２０に送信する。携帯電話２０の接続制御部２０１は、カーナビ１０から送信された指示情報を、カーナビ接続部２０２を介して受信する。中央制御部２００は、切断を指示する指示情報の受信に応じて、発信元の電話機との接続を切断する呼制御を行う。これによって、携帯電話２０と発信元の電話機との回線は切断され、ハンズフリー通話も抑止される。
【０１１５】
以上に説明したように、本実施の形態４では、発信元に対してハンズフリー通話を許可するか否かを問い合わせる問合せ情報を送信し、発信元から問合せ情報の送信に応じて送信された回答情報において、ハンズフリー通話を拒否する旨が示されている場合、前記ハンズフリー通話を抑止するようにしている。言い換えると、回答情報において、ハンズフリー通話を許可する旨が示されている場合、ハンズフリー通話を行うようにしている。
【０１１６】
これによれば、発信元の電話機のユーザーが、発信先の携帯電話のユーザーのみと会話をしたい場合に、車両の搭乗者全員で通話が共有されてしまうことを防止することができる。
【０１１７】
＜発明の他の実施の形態＞
上述した実施の形態１〜４では、電話帳情報が示す電話番号のみから、ハンズフリー通話を許容する電話番号を検出するようにしているが、さらに、発信履歴情報及び着信履歴情報に基づいてハンズフリー通話を許容する電話番号を検出するようにしてもよい。
【０１１８】
具体的には、接続判断部１０１は、発信元の電話番号が共通電話番号であっても、発信元の電話番号が携帯電話２０ａ〜２０ｄのいずれかの発信履歴情報及び着信履歴情報において、所定の回数以上、発信履歴又は着信履歴として示されていなかった場合には、ハンズフリー通話を抑止して、通常接続による通話を行うようにしてもよい。また、接続判断部１０１は、発信元の電話番号が共通電話番号であっても、発信元の電話番号が携帯電話２０ａ〜２０ｄのいずれかの発信履歴情報及び着信履歴情報において、現在日時を基準として所定の期間内（例えば、半年以内等）の発信履歴又は着信履歴として示されていなかった場合には、ハンズフリー通話を抑止して、通常接続による通話を行うようにしてもよい。
【０１１９】
また、発信履歴情報及び着信履歴情報の両方ではなく、発信履歴情報及び着信履歴情報のいずれか一方のみを使用してハンズフリー通話を抑止するか否かを判定するようにしてもよい。すなわち、少なくとも、携帯電話２０ａ〜２０ｄのそれぞれの発信履歴情報及び着信履歴情報のうち、いずれかの携帯電話の発信履歴情報及び着信履歴情報のいずれにも、発信元の電話番号が示されていない場合には、ハンズフリー通話が抑止されることになる。なお、発信履歴情報及び着信履歴情報は、電話帳情報と同様にして、カーナビ１０が、携帯電話２０ａ〜２０ｄのそれぞれから事前に取得して任意の記憶装置に格納しておくようにすればよい。
【０１２０】
なお、本発明は上記実施の形態に限られたものではなく、趣旨を逸脱しない範囲で適宜変更することが可能である。
【０１２１】
上述した実施の形態１〜４及び他の実施の形態は、それらのうちの少なくとも２つ以上を任意に組み合わせて実施するようにしてもよい。ここで、実施の形態３と他の実施の形態とを組み合わせる場合には、携帯電話２０ａ〜２０ｄに代えて電話帳管理サーバー３０で、発信履歴情報及び着信履歴情報を有するようにして、カーナビ１０が、電話帳管理サーバー３０から発信履歴情報及び着信履歴情報を取得するようにしてもよい。
【０１２２】
また、上述した実施の形態１〜４では、本発明をカーナビに適用した場合について例示したが、カーナビ以外の車載機器に適用するようにしてもよい。本発明は、例えば、カーナビ、及び、カーオーディオ等の車載機器に適用することが可能である。
【０１２３】
また、本実施の形態１では、事前に共通電話番号ＤＢ１０５に共通電話番号情報を格納しておくようにして、その共通電話番号情報に基づいて、発信元の電話番号が共通電話番号であるか否かを判定するようにしているが、これに限られない。共通電話番号情報を生成せずに、接続判断部１０１が、携帯電話からの着信情報の受信に応じて、着信情報が示す発信元の電話番号が、ユーザー毎電話帳ＤＢ１０４に格納された電話帳情報で共通して示されるか否かを判定するようにしてもよい。しかしながら、好ましくは、本実施の形態１のように、事前に共通電話番号を取得しておくことで、発信元の電話番号が共通電話番号であるか否かの判定を容易に行うことが可能となる。
【０１２４】
また、カーナビ１０、携帯電話２０ａ〜２０ｄ、及び、電話帳管理サーバー３０において実行されるプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１２５】
また、コンピュータが上述の実施の形態の機能を実現するプログラムを実行することにより、上述の実施の形態の機能が実現される場合だけでなく、このプログラムが、コンピュータ上で稼動しているＯＳ（Operating System）もしくはアプリケーションソフトウェアと共同して、上述の実施の形態の機能を実現する場合も、本発明の実施の形態に含まれる。さらに、このプログラムの処理の全てもしくは一部がコンピュータに挿入された機能拡張ボードやコンピュータに接続された機能拡張ユニットによって行われて、上述の実施の形態の機能が実現される場合も、本発明の実施の形態に含まれる。
【０１２６】
また、上述した実施の形態１〜４では、着信があったときに、搭乗者間で共有可能な相手からの着信であるか否かを判定するようにしているが、発信をするときに、搭乗者間で共有可能な相手に対する発信であるか否を判定するようにしてもよい。すなわち、発信をするときに、発信先の電話番号が共通電話番号でない場合には、その通話ではハンズフリー通話を抑止するようにし、発信先の電話番号が共通電話番号である場合には、ハンズフリー通話を許容するようにしてもよい。
【０１２７】
具体的には、携帯電話２０の接続制御部２０１は、他の電話機に発信をするときに、発信を通知する発信情報を生成して、カーナビ接続部２０２を介してカーナビ１０に送信する。この発信情報は、発信先の電話番号を示すようにする。カーナビ１０の接続判断部１０１は、携帯電話２０から送信された発信情報が示す電話番号が、共通電話番号情報が示す共通電話番号に存在する場合には、カーナビ１０によるハンズフリー接続を行う旨を通知する接続状況通知情報を、携帯端末接続部１０２を介して携帯電話２０に送信する。一方、携帯電話２０から送信された発信情報が示す電話番号が、共通電話番号情報が示す共通電話番号に存在しない場合には、通常接続を行う（カーナビ１０によるハンズフリー接続を行わない）旨を通知する接続状況通知情報を、携帯端末接続部１０２を介して携帯電話２０に送信する。そして、携帯電話２０は、呼制御によって、発信先の電話機の間で回線を確立された場合には、カーナビ１０からの接続状況通知情報が示す内容に応じた通話を開始するようにすればよい。ハンズフリー接続及び通常接続における通話方法は、実施の形態において説明した通りとなるため、説明を省略する。
【符号の説明】
【０１２８】
１  車載システム
９  電話帳管理システム
１０  カーナビゲーションシステム
２０、２０ａ、２０ｂ、２０ｃ、２０ｄ  携帯電話
３０  電話帳管理サーバー
９１  無線アンテナ
９２  携帯電話基地局
９３  インターネット
１００、２００  中央制御部
１０１  接続判断部
１０２  携帯端末接続部
１０３  ＤＢ生成部
１０４  ユーザー毎電話帳ＤＢ
１０５  共通電話番号ＤＢ
１０６、２０６  スピーカー
１０７、２０７  マイク
１０８、２０８  表示部
１０９、２０９  入力部
１１０、２０３  基地局接続部
１１１  ＤＢ取得部
１１２  ユーザー毎識別情報ＤＢ
１１３  通話問合せ部
２０１  接続制御部
２０２  カーナビ接続部
２０４  電話帳ＤＢ
２０５  発着信履歴ＤＢ
２１０  情報制御部
２１１  識別情報ＤＢ
３０１  ＤＢ生成部
３０２  ネットワーク接続部
３０３  ユーザー毎電話帳ＤＢ
【図１】
2013157916.tif 000003
【図２】
2013157916.tif 000004
【図３】
2013157916.tif 000005
【図４】
2013157916.tif 000006
【図５】
2013157916.tif 000007
【図６Ａ】
2013157916.tif 000008
【図６Ｂ】
2013157916.tif 000009
【図７】
2013157916.tif 000010
【図８】
2013157916.tif 000011
【図９】
2013157916.tif 000012
【図１０】
2013157916.tif 000013
【図１１】
2013157916.tif 000014
【図１２】
2013157916.tif 000015
【図１３】
2013157916.tif 000016
【図１４】
2013157916.tif 000017